(57)【要約】【課題】保管設備に保管された穀物類に食害昆虫が発生しているか否かを簡易且つ正確に判定することが可能な方法を提供する。【解決手段】保管設備内に保管されている判定対象の穀物類中に、該穀物類を食害する食害昆虫が発生しているか否かを判定する食害昆虫発生有無判定方法であって、食害昆虫を捕獲する昆虫捕獲装置を保管設備内に配設し、所定の期間放置する第１ステップと、第１ステップの後、昆虫捕獲装置における食害昆虫の捕獲状況に基づいて穀物類中に食害昆虫が発生しているか否かを判定する第２ステップと、を備え、昆虫捕獲装置は、水又は油を透過させない板状部材からなる台座と、台座の一方の面上に配置されており、水又は油を保持することが可能な多孔質基材と、多孔質基材に保持された水又は油と、を有する昆虫捕獲装置であることを特徴とする。【選択図】  図１
2004313047.tif 000002
【特許請求の範囲】
【請求項１】
保管設備内に保管されている判定対象の穀物類中に、該穀物類を食害する食害昆虫が発生しているか否かを判定する食害昆虫発生有無判定方法であって、
前記食害昆虫を捕獲する昆虫捕獲装置を前記保管設備内に配設し、所定の期間放置する第１ステップと、
前記第１ステップの後、前記昆虫捕獲装置における食害昆虫の捕獲状況に基づいて前記穀物類中に食害昆虫が発生しているか否かを判定する第２ステップと、
を備え、
前記昆虫捕獲装置は、
水又は油を透過させない板状部材からなる台座と、
前記台座の一方の面上に配置されており、水又は油を保持することが可能な多孔質基材と、
前記多孔質基材に保持された水又は油と、を有する昆虫捕獲装置である
ことを特徴とする食害昆虫発生有無判定方法。
【請求項２】
前記判定対象の穀物類は、織布製又は不織布製の保管袋に詰められて前記保管設備内に保管されている穀物類であり、
前記第１ステップにおいて、前記昆虫捕獲装置を前記台座の他方の面が前記保管袋に当接するように前記保管設備内に配置し、所定の期間放置することを特徴とする請求項１に記載の食害昆虫発生有無判定方法。
【請求項３】
前記判定対象の穀物類は、サイロ内に保管されている穀物類であり、
前記第１ステップにおいて、前記昆虫捕獲装置を前記台座の他方の面が前記穀物類に当接するように前記保管設備内に配置し、所定の期間放置することを特徴とする請求項１に記載の食害昆虫発生有無判定方法。
【請求項４】
請求項１〜３の何れか１項に記載の食害昆虫発生有無判定方法に用いられる昆虫捕獲装置であって、
水又は油を透過させない板状部材からなる台座と、
前記台座の一方の面上に配置されており、水又は油を保持することが可能な多孔質基材と、を備えたことを特徴とする昆虫捕獲装置。
【発明の詳細な説明】
【０００１】
【発明の属する技術分野】
本発明は保管設備内に保管されている穀物類における食害昆虫類の発生の有無を判定する方法に関する。
【０００２】
【従来の技術】
サイロ、保管倉庫等の保管設備に保管された米・小麦・大麦・大豆・小豆・粟・ヒエ等の穀物及び麦芽、並びにそれらの粉砕物（以下これらを総称して「穀物類」という）にはこれらを食害する昆虫（例えばコクヌスットモドキ・コクゾウムシ・バクガ等、以下「食害昆虫」という）が発生することがあり、食害昆虫が発生している場合には出荷前に駆除作業を行う必要がある。従来、食害昆虫が発生しているか否かを穀物類の出荷前に判定する方法としては、熟練した技術者が肉眼により直接穀物類を観察する方法しかなかった（該判定方法は文献等に記載されているものではなく、穀物保管設備において慣習的に行われている方法である。よって、先行技術文献情報はない。）。
【０００３】
【発明が解決しようとする課題】
しかしながら、上記従来の判定方法によれば、袋詰めの状態で保管設備に保管された穀物類については袋を開けて肉眼で確認するという作業を多くのランダムサンプルについて行う必要があるため時間と労力を要した。また、サイロに保管された穀物類については、高所（例えば、地上から約３０ｍ）にあるサイロの入口から技術者がサイロ内部に懸垂降下し、積まれた保管穀物類の表面まで降りて穀物類を観察するという危険な作業が必要であった。さらに、これら従来の判定方法では、技術者が個人の経験に頼り観察・判断を行っていたので判定の正確性を担保することが困難であった。
【０００４】
そこで、本発明は上記問題点を解決し、保管設備に保管された穀物類に食害昆虫が発生しているか否かを簡易且つ正確に判定することが可能な方法、並びにその方法を実施するために有効な昆虫捕獲装置を提供することを目的とする。
【０００５】
【課題を解決するための手段】
本発明者らは、上記目的を達成すべく鋭意検討をおこなった際に、先ず昆虫を誘引して捕獲する昆虫捕獲装置の利用に着目した。しかしながら、フェロモン等の誘引物質によって昆虫を誘引し、粘着剤によって捕獲する市販の昆虫捕獲装置は、誘引物質や粘着剤として人体等に対する有害化学物質を含む場合があり、穀物類の保管設備内において用いるのは食品衛生上問題があった。また、粘着剤を利用した昆虫捕獲装置を穀物類の保管設備内で用いると、穀物類の粉等が粘着剤に付着し、短時間で粘着性を喪失して役に立たなくなってしまうという問題もあった。
【０００６】
そこで、本発明者らはさらに鋭意研究を重ねた結果、穀物の保管設備内においては、意外にも水や油によって食害昆虫が誘引され、それらを保持した多孔質基材中に棲み付くため、水や油を含ませた多孔質基材が昆虫捕獲装置として十分に機能し、しかも食品衛生上の問題や粘着性喪失といった問題が無いことを見出し、本発明を完成するに至った。
【０００７】
すなわち、本発明の食害昆虫発生有無判定方法は、保管設備内に保管されている判定対象の穀物類中に、該穀物類を食害する食害昆虫が発生しているか否かを判定する食害昆虫発生有無判定方法であって、
食害昆虫を捕獲する昆虫捕獲装置を保管設備内に配設し、所定の期間放置する第１ステップと、
第１ステップの後、昆虫捕獲装置における食害昆虫の捕獲状況に基づいて穀物類中に食害昆虫が発生しているか否かを判定する第２ステップと、を備え、
昆虫捕獲装置は、
水又は油を透過させない板状部材からなる台座と、
台座の一方の面上に配置されており、水又は油を保持することが可能な多孔質基材と、
多孔質基材に保持された水又は油と、を有する昆虫捕獲装置である
ことを特徴とする。
【０００８】
また、本発明の昆虫捕獲装置は、上記食害昆虫発生有無判定方法に用いられる昆虫捕獲装置であって、水又は油を透過させない板状部材からなる台座と、台座の一方の面上に配置されており、水又は油を保持することが可能な多孔質基材と、を備えたことを特徴とする。
【０００９】
穀物類が保管される保管設備は、非常に乾燥した環境であるので、保管設備に保管された穀物類中の食害昆虫を誘引するためには、特殊な誘引物質（例えばフェロモン等）は何ら必要ではなく、例えば水又は油を含ませた多孔質基材であれば充分に食害昆虫の誘引が可能である。よって、上記食害昆虫発生有無判定方法によれば、保管設備内に所定の期間放置した昆虫捕獲装置を観察することにより水又は油に誘引された食害昆虫発生の有無を判定できるので、穀物類を直接観察する方法よりも手間を省略することができ、正確な判定が可能となる。また、一旦誘引された食害昆虫は多孔質基材中に棲み付くため、粘着性の昆虫捕獲装置にて接着するまでもなく捕獲及び存在の確認が可能である。よって、上記昆虫捕獲装置を保管設備内で用いたとしても粘着性喪失という問題が起きない。さらに、水又は油を誘引物質として用い、粘着剤を用いることがないため、食品衛生上の問題も発生しない。
【００１０】
上記昆虫捕獲装置は、水又は油を透過させない台座を備えているので、穀物類や穀物類が詰められた保管袋に当接させて設置しても、水又は油が穀物類に直接接触することを防止できる。このため、穀物類あるいは穀物類にカビが発生したり穀物類が発芽してしまったりすることを防止することができる。
【００１１】
また、本発明において、判定対象となる穀物類としては、織布製又は不織布製の保管袋に詰められて保管設備内に保管されている穀物類が挙げられ、その場合の第１ステップにおいては、昆虫捕獲装置を台座の他方の面が保管袋に当接するように保管設備内に配置し、所定の期間放置することが好ましい。
【００１２】
このようにすると、水又は油が穀物類に直接接触することを防止でき、穀物類にカビが発生したり穀物類が発芽してしまったりすることを防止することができる。さらに、多孔質基材が穀物類に直接接触していなくても当該保管袋中の穀物類に棲息する食害昆虫が袋の織目又は封印部分の隙間をすり抜けて昆虫捕獲装置の多孔質基材に棲み付く。よって、この方法によれば保管袋を開封することなく食害昆虫発生有無を判定することができる。
【００１３】
また、本発明においては、判定対象となる穀物類として、サイロ内に保管されている穀物類が挙げられ、その場合の第１ステップにおいては、昆虫捕獲装置を台座の他方の面が穀物類に当接するように保管設備内に配置し、所定の期間放置することが好ましい。
【００１４】
このようにすると、サイロ内に積まれた穀物類表面に昆虫捕獲装置を設置し後に回収すればよい。よって、この食害昆虫発生有無判定方法によれば、技術者がサイロ内部に入る必要がなく、危険な作業が必要なくなる。
【００１５】
【発明の実施の形態】
以下、本発明の実施の形態について説明する。なお、同一要素には同一符号を用い、重複する説明は省略する。
【００１６】
本発明において、穀物類とは、米・小麦・大麦・大豆・小豆・粟・ヒエ等の狭義の穀物のみならず、麦芽、更にそれらの粉砕物をも含む。また、保管設備とは穀物類を保管する建造物・施設をいい、保管倉庫、サイロ等がこれに含まれる。食害昆虫とは穀物類を食害する昆虫であり、コクヌスットモドキ・コクゾウムシ・バクガ等がこれに含まれる。
【００１７】
（第１実施形態）
本発明の第１実施形態について図１、図２を参照しながら説明する。図１は本実施形態の食害昆虫発生有無判定方法の工程を示すフロー図である。図２は本実施形態の食害昆虫発生有無判定方法における昆虫捕獲装置５０の設置形態を説明する図である。本実施形態においては、図２に示すように、判定の対象となる穀物類２は保管袋５に詰められ、保管袋５はパレット３上に積み上げられ、穀物保管倉庫（保管設備）に保管されている。本実施形態の食害昆虫発生有無判定方法は、このような形態で保管されている穀物類２に食害昆虫が発生しているか否かを判定する判定方法である。保管袋５としては織布製の袋（例えば麻を編んだ麻袋、プラスチック（例えば、ポリエチレン、ポリプロピレン等）を編んだ袋）、不織布製の袋（例えば紙袋）等が挙げられる。
【００１８】
まず、保管倉庫内において、穀物類２が詰められた保管袋５に当接するように後述する昆虫捕獲装置５０を置き（図２参照）、所定の期間放置する（Ｓ１０２）。昆虫捕獲装置５０は多孔質基材５３及び多孔質基材５３を保持する台座５１を有し、多孔質基材５３には食害昆虫の誘引物質としての水又は油が含浸されている。多孔質基材５３は昆虫捕獲装置５０にセットされ、保管袋５には直接に接しないようになっている。昆虫捕獲装置５０の詳細ついては後述する。所定の期間としては昆虫捕獲装置５０の多孔質基材５３が完全に乾燥しない程度の期間を設定し、例えば１〜７日間程度とする。多孔質基材５３に含浸せしめる水には溶質を溶かし、水溶液としてもよい。水溶液としては例えばブドウ糖水溶液、果糖水溶液、麦芽糖水溶液、砂糖水溶液、転化糖水溶液、麦芽エキス水溶液、麦芽熱水抽出物水溶液、キシリトール水溶液・マンニトール水溶液等が用いられる。中でも、キシリトール水溶液、マンニトール水溶液は蒸発しにくいため多孔質基材５３が乾燥しにくく、放置期間を長く設定することができるため好ましい。油としては例えば、食用油、機械用油等が用いられる。上記水溶液又は油は２種類以上を適宜混合して用いることもできる。なお、この工程Ｓ１０２が上記の第１ステップに相当する。
【００１９】
次に、昆虫捕獲装置５０を回収し（Ｓ１０４）、昆虫捕獲装置５０を観察する（Ｓ１０６）。例えば、多孔質基材５３と台座５１との間、多孔質基材５３の表面、又は多孔質基材５３の細孔の隙間等を目視で確認し、食害昆虫が存在するか否かを確認する（Ｓ１０８）。ここで、食害昆虫が１匹でも発見された場合にはパレット３上の穀物類２に食害昆虫が発生していると判定する（Ｓ１１０）。ここで、発見される食害昆虫は生きているものであっても屍骸であってもよい。食害昆虫が発生していると判定された場合には例えば燻蒸処理等の食害昆虫駆除作業を行う（Ｓ１１２）。Ｓ１０８の確認によって食害昆虫が１匹も発見されなかった場合には食害昆虫は発生していないと判定する。なお、工程Ｓ１０６、Ｓ１０８、Ｓ１１０、Ｓ１１４が上記の第２ステップに相当する。
【００２０】
上記食害昆虫発生有無判定方法によれば、穀物類２中に食害昆虫が発生している場合には、食害昆虫が昆虫捕獲装置５０の多孔質基材５３に含まれる水又は油に誘引される。誘引された食害昆虫は保管袋５の織目又は封印部分の隙間を抜けて袋の外に出て、多孔質基材５３に辿り着く。辿り着いた食害昆虫は多孔質基材５３が完全に乾燥するまでは多孔質基材５３の表面又は内部に棲み付く。よって、多孔質基材５３が完全に乾燥する前に昆虫捕獲装置５０を回収し、昆虫が多孔質基材５３に発見できるか否かを確認することによって穀物類２中に食害昆虫が発生しているか否かを判定することができる。また、誘引された食害昆虫は保管袋５の織目又は封印部分の隙間を抜けて袋の外に出てくるので袋を開封することなく食害昆虫発生の有無を判定することができる。
【００２１】
上記食害昆虫発生有無判定方法では、誘引物質として水または油を用いているので、食品衛生上の問題も少なく、食品の保管設備において好適に使用可能である。また、上記食害昆虫発生有無判定方法では比較的入手容易な水又は油を用いることができるので、簡便に判定が可能である。また、上記食害昆虫発生有無判定方法の昆虫捕獲装置５０は粉塵の多い穀物類保管設備内で使用しても粘着性のトラップと異なり、粉塵によって機能が失われることが少ないので好適に使用可能である。
【００２２】
また、上記食害昆虫発生有無判定方法では、多孔質基材５３が昆虫捕獲装置５０にセットされ、保管袋５には直接に接しないようになっている。従って、多孔質基材５３に含まれた水又は油が保管袋５に浸透し、保管袋５に保管された穀物類２に触れることを防止することができ、穀物類２がカビを生じたり、発芽してしまったりすることを防止することができる。
【００２３】
（第２実施形態）
本発明の第２実施形態について図１、図３を参照しながら説明する。本実施形態においては、穀物類１１はサイロ１３の中に粒状のまま保管されている。本実施形態の食害昆虫発生有無判定方法は、このようにサイロに粒状で保存されたな形態で保管されている穀物類に食害昆虫が発生しているか否かを判定する判定方法である。
【００２４】
本実施形態の食害昆虫発生有無判定方法においては、第１実施形態と同様に図１に示すフローに従って作業を行う。本実施形態と第１実施形態との相違点は、昆虫捕獲装置５０の構成、昆虫捕獲装置５０の設置（Ｓ１０２）の工程及び回収（Ｓ１０４）の工程にある。
【００２５】
昆虫捕獲装置５０の設置（Ｓ１０２）及び昆虫捕獲装置５０の回収（Ｓ１０４）について、図３を参照しつつ説明する。本実施形態において、昆虫捕獲装置５０は本体部分５２及び吊下部材５５を有しており、本体部分５２は吊下部材５５によって自重により吊下げられるようになっている。吊下部材５５としては例えばロープ、紐、くさり等が用いられる。
【００２６】
まず、昆虫捕獲装置５０の本体部分５２をサイロ入口１３ａからサイロ内部へ吊り下げ、保管された穀物類の表面１１ａに着くまで降下させる（図３（ａ）参照）。吊下部材５５の一端５５ａはサイロ内部へ落ち込まないようにサイロ入口１３ａの付近へ固定する。この状態（図１３（ｂ）参照）で所定の期間放置する（Ｓ１０２）。所定の期間の後、吊下部材５５の一端５５ａを引っ張り、本体部分５２を手繰りよせ、サイロ入口３ａから本体部分５２を回収する（Ｓ１０４）。
【００２７】
上記食害昆虫発生有無判定方法では、吊下部材５５を有する昆虫捕獲装置５０を用い、サイロ入口３ａから吊下部材５５によって本体部分５２をサイロ内部に設置し、またサイロ入口３ａから吊下部材５５によって本体部分５２を回収することとしている。よって、上記食害昆虫発生有無判定方法によれば、技術者がサイロ内部に懸垂降下し、積まれた保管穀物類の表面１１ａまで降りるという危険な作業が必要なくなり、安全な判定作業が可能となる。
【００２８】
また、上記食害昆虫発生有無判定方法によれば、昆虫捕獲装置５０を観察することにより食害昆虫発生有無を判定することとしているので、サイロ内部での作業が不要となる。また、サイロ内部での作業が不要となり、昆虫捕獲装置５０中の食害昆虫の有無のみで食害昆虫発生有無が判定可能であるので、熟練の技術者でない者であっても正確な判定が可能となる。
【００２９】
続いて、上記第１実施形態及び第２実施形態に用いられる昆虫捕獲装置５０について説明する。図４（ａ）は昆虫捕獲装置５０の斜視図、図４（ｂ）はその分解斜視図である。昆虫捕獲装置５０は本体部分５２と吊下部材５５を有しており、本体部分５２は台座５１、多孔質基材５３、網状部材５７、及び重り５９を有している。昆虫捕獲装置５０の使用状態においては設置面６１と反対側の面６２を保管袋５又は穀物類１１に接するように配置される。すなわち、使用状態においては、多孔質基材５３と、保管袋５又は穀物類１１との間に台座５１が挟まれるように配置される。
【００３０】
図５（ａ）は本体部５２の平面図、図５（ｂ）は本体部５２のＶ−Ｖ断面図である。台座５１は水又は油を透過させない部材からなり、略正方形の板状で器状に形成されている。台座５１の内部空間に設けられた設置面６１に多孔質基材５３を取り外し可能に設置できるようになっている。台座５１の周縁部は多孔質基材５３を収容しやすいように折り返し部分６３が設けられている。折り返し部分６３は台座の内部空間へ向かって傾斜が付けられており、捕獲された昆虫が容易に外へ出られないようになっている。台座５１の寸法は例えば、縦２３５ｍｍ、横２３５ｍｍ、深さ１５ｍｍである。
【００３１】
多孔質基材５３は台座５１の内部空間に収容され、設置面６１上に設置されている。多孔質基材５３は水又は油を含浸し、含浸された水又は油を保持することができる。多孔質基材５３としては例えば、多孔質材料（スポンジ等）、織布（木綿布等）、不織布等が用いられる。多孔質基材５３は台座５１とほぼ同じ寸法で、例えば略正方形状に形成されている。
【００３２】
網状部材５７は台座５１の設置面６１側に着脱可能に固定されている。設置面６１と網状部材５７との間に挟まれる位置に多孔質基材５３が設置されるようになっており、網状部材５７は多孔質基材５３を覆うように設置されている。網状部材５７の材質としては例えば金属、プラスチック等が用いられる。網目のサイズは特に限定されず、多孔質基材５３が台座５１から離れ落ちてしまうのを防止でき、かつ、食害昆虫が網目を抜け、多孔質基材５３に到達できるサイズを選択する。
【００３３】
重り５９は台座５１の設置面６１と反対側の面６２に設置されている。重り５９は、台座５１に比較して重量が大きくなっている。このことによって、昆虫捕獲装置５０を穀物類の表面１１ａ上であっても安定して設置することができ、設置面６１を上に向けて安定して設置することができる。また、重り５９は台座５１とほぼ同じ寸法で、例えば略正方形状に形成されている。
【００３４】
再び図４を参照する。吊下部材５５の一端５５ｂは４つに分かれて台座５１につながれ、台座５１の４つの各頂点部分５５ｂを介して本体部分５２を吊り下げることができる。吊下部材５５のもう一方の端５５ａは自由端となっている。吊下部材５５の長さは、サイロ入口１３ａから本体部分を吊り降ろしサイロに保管された穀物類１１の表面１１ａに到達させる長さが必要である。すなわち、吊下部材５５の長さは、最長でサイロ１３の高さと同じ長さが必要である。
【００３５】
上記昆虫捕獲装置５０によれば、台座５１の内部空間の設置面６１上に多孔質基材５３が収容されている。よって、設置面６１と反対側の面６２が保管袋５又は穀物類１１と接するように使用することによって、多孔質基材５３が保管袋５又は穀物類１１と直接に接触することがない。従って、保管袋５中の穀物類又は穀物類１１が多孔質基材５３に含浸せしめた水又は油に触れて、カビを生じたり、発芽してしまったりすることを防止することができる。
【００３６】
なお、本発明は上記した実施形態に限定されることなく種々の変形が可能である。例えば、上記第１実施形態及び第２実施形態では多孔質基材５３に含浸せしめた水又は油を食害昆虫の誘引物質として用いたが、麦芽粉砕物、大麦粉砕物、小麦粉砕物、米粉砕物、でんぷん等の粉状物質を前記水又は油と共に誘引物質として用いてもよい。上記のような粉状物質を用いる場合は粉状物自体に水分を含ませるよう、水を含んだ多孔質材料５３の上に散布する。
【００３７】
（実施例）
以下、実施例に基づいて本発明をより具体的に説明するが、本発明は以下の実施例に限定されるものではない。
【００３８】
穀物類保管倉庫において、水、麦芽エキス、ブドウ糖、食用オイル、でんぷんを誘引物質として捕獲された食害昆虫の頭数を確認し、表１に誘引物質と食害昆虫の捕獲頭数との関係を示した。用いた穀物類は、サイロに保管された大麦であり、２年間通常保管したものを用いた。食害昆虫の捕獲は、図４及び図５に示すような上記実施形態の構成を有する昆虫捕獲装置を用いて行った。用いた昆虫捕獲装置の台座の寸法は、縦２３５ｍｍ、横２３５ｍｍ、深さ１５ｍｍとした。また、多孔質基材としては縦２２０ｍｍ、横２２０ｍｍ、厚さ５ｍｍの木綿布を用いた。昆虫捕獲装置を設置する期間は３日間とした。下表の水、各水溶液、又は油はそれぞれ２００ｍｌを木綿布に含浸せしめて昆虫捕獲装置にセットした。でんぷんについては、水と混合した濃度１０％の懸濁液を調製し、木綿布の上に２００ｍｌ散布した。また、比較のために乾燥した木綿布のみを昆虫捕獲装置にセットして昆虫捕獲を行った結果を同表に示した。なお、食害昆虫の頭数は、昆虫捕獲装置に捕獲されたコクヌスットモドキ・コクゾウムシ・バクガの頭数を合計したものとした。
【００３９】
【表１】
2004313047.tif 000003
【００４０】
上記結果より、水、麦芽エキス、ブドウ糖、食用オイル、でんぷんを誘引物質として用いた昆虫捕獲装置は、乾燥した木綿布を用いた昆虫捕獲装置よりも明らかに誘引力が強いことが確認できた。また、水であっても、その他の誘引物質と有意差なく昆虫を誘引していることが判り、食害昆虫を誘引する誘引物質としては水又は油が含まれていれば充分であることが確認できた。
【００４１】
【発明の効果】
上述のとおり本発明によれば、保管設備に保管された穀物類に食害昆虫が発生しているか否かを簡易且つ正確に判定することが可能な方法、並びにその方法を実施するために有効な昆虫捕獲装置を提供することができる。
【図面の簡単な説明】
【図１】食害昆虫発生有無判定方法の工程を示すフロー図である。
【図２】食害昆虫発生有無判定方法における昆虫捕獲装置の設置形態の一例を説明するための模式斜視図である。
【図３】（ａ）は食害昆虫発生有無判定方法における昆虫捕獲装置の設置工程及び回収工程の一例を説明するための模式断面図であり、（ｂ）は昆虫捕獲装置の設置形態の一例を説明するための模式断面図である。
【図４】（ａ）は昆虫捕獲装置の斜視図、（ｂ）はその分解斜視図である。
【図５】（ａ）は昆虫捕獲装置の本体部の平面図、（ｂ）はそのＶ−Ｖ断面図である。
【符号の説明】
２…穀物類、５…織布製の袋、１１…穀物類、１３…サイロ、５０…昆虫捕獲装置、５１…台座、５３…多孔質基材、５５…吊下部材、５７…網状部材、５９…重り、６１…設置面。
【図１】
2004313047.tif 000004
【図２】
2004313047.tif 000005
【図３】
2004313047.tif 000006
【図４】
2004313047.tif 000007
【図５】
2004313047.tif 000008